(57)【特許請求の範囲】
【請求項１】
データ伝送レート要求値を送信する移動局装置と、前記移動局装置から受信したデータ伝送レート要求値に基づいてデータ送信先の移動局装置を選択し、当該被選択移動局装置から受信したデータ伝送レート要求値でデータを当該被選択移動局装置に送信する基地局装置とを有する移動体通信システムであって、
前記移動局装置は、
前記基地局装置から送信される平均データ伝送レートを受信する第１受信手段と、
前記基地局装置からの受信信号の品質を測定する測定手段と、
前記測定手段によって測定された受信品質に基づいてデータ伝送レート要求値を決定する決定手段と、
前記決定手段によって決定されたデータ伝送レート要求値と前記第１受信手段によって受信された平均データ伝送レートとの差を算出する第１算出手段と、
前記第１算出手段による算出結果が基準値以上であるか否かを判断する判断手段と、
前記判断手段によって前記第１算出手段による算出結果が基準値以上であると判断された場合、前記決定手段によって決定されたデータ伝送レート要求値を前記基地局装置へ送信させる第１制御手段と、を有し、
前記基地局装置は、
前記移動局装置から送信されたデータ伝送レート要求値を受信する第２受信手段と、
前記第２受信手段によって受信されたデータ伝送レート要求値に基づいてデータ送信先の移動局装置を選択する選択手段と、
前記選択手段によって選択された移動局装置にデータを送信する際のデータ伝送レートの平均を平均データ伝送レートとして算出する第２算出手段と、
前記第２算出手段によって算出された平均データ伝送レートを前記移動局装置へ送信させる第２制御手段と、
を有することを特徴とする移動体通信システム。
【請求項２】
データ伝送レート要求値を送信する移動局装置と、前記移動局装置から受信したデータ伝送レート要求値に基づいてデータ送信先の移動局装置を選択し、当該被選択移動局装置から受信したデータ伝送レート要求値でデータを当該被選択移動局装置に送信する基地局装置とを有する移動体通信システムにおける通信方法であって、
前記移動局装置が、前記基地局装置から送信される平均データ伝送レートを受信する第１受信ステップと、
前記移動局装置が、前記基地局装置からの受信信号の品質を測定する測定ステップと、
前記移動局装置が、前記測定ステップで測定した受信品質に基づいてデータ伝送レート要求値を決定する決定ステップと、
前記移動局装置が、前記決定ステップで決定したデータ伝送レート要求値と前記第１受信ステップで受信した平均データ伝送レートとの差を算出する第１算出ステップと、
前記移動局装置が、前記第１算出ステップにおける算出結果が基準値以上であるか否かを判断する判断ステップと、
前記移動局装置が、前記判断ステップで前記第１算出ステップにおける算出結果が基準値以上であると判断した場合、前記決定ステップで決定したデータ伝送レート要求値を前記基地局装置へ送信させる第１制御ステップと、
前記基地局装置が、前記移動局装置から送信されたデータ伝送レート要求値を受信する第２受信ステップと、
前記基地局装置が、前記第２受信ステップで受信したデータ伝送レート要求値に基づいてデータ送信先の移動局装置を選択する選択ステップと、
前記基地局装置が、前記選択ステップで選択した移動局装置にデータを送信する際のデータ伝送レートの平均を平均データ伝送レートとして算出する第２算出ステップと、
前記基地局装置が、前記第２算出ステップで算出した平均データ伝送レートを前記移動局装置へ送信させる第２制御ステップと、
を有することを特徴とする移動体通信システムにおける通信方法。
【請求項３】
データ伝送レート要求値を送信する移動局装置と、前記移動局装置から受信したデータ伝送レート要求値に基づいてデータ送信先の移動局装置を選択し、当該被選択移動局装置から受信したデータ伝送レート要求値でデータを当該被選択移動局装置に送信する基地局装置とを有する移動体通信システムに用いられる前記移動局装置であって、
前記基地局装置から送信される平均データ伝送レートを受信する第１受信手段と、
前記基地局装置からの受信信号の品質を測定する測定手段と、
前記測定手段によって測定された受信品質に基づいてデータ伝送レート要求値を決定する決定手段と、
前記決定手段によって決定されたデータ伝送レート要求値と前記第１受信手段によって受信された平均データ伝送レートとの差を算出する第１算出手段と、
前記第１算出手段による算出結果が基準値以上であるか否かを判断する判断手段と、
前記判断手段によって前記第１算出手段による算出結果が基準値以上であると判断された場合、前記決定手段によって決定されたデータ伝送レート要求値を前記基地局装置へ送信させる第１制御手段と、
を有することを特徴とする移動局装置。
【請求項４】
前記基地局装置からの受信信号の誤り検出を行う誤り検出手段、をさらに有し、
前記第１制御手段は、
前記誤り検出手段によって受信信号に誤りがないと判定された場合において、前記判断手段によって前記第１算出手段による算出結果が基準値以上であると判断されたときに、前記決定手段によって決定されたデータ伝送レート要求値を前記基地局装置へ送信させる、
ことを特徴とする請求項３記載の移動局装置。
【請求項５】
データ伝送レート要求値を送信する移動局装置と、前記移動局装置から受信したデータ伝送レート要求値に基づいてデータ送信先の移動局装置を選択し、当該被選択移動局装置から受信したデータ伝送レート要求値でデータを当該被選択移動局装置に送信する基地局装置とを有する移動体通信システムに用いられる前記移動局装置における情報送信制御方法であって、
前記基地局装置から送信される平均データ伝送レートを受信する第１受信ステップと、
前記基地局装置からの受信信号の品質を測定する測定ステップと、
前記測定ステップで測定した受信品質に基づいてデータ伝送レート要求値を決定する決定ステップと、
前記決定ステップで決定したデータ伝送レート要求値と前記第１受信ステップで受信した平均データ伝送レートとの差を算出する第１算出ステップと、
前記第１算出ステップにおける算出結果が基準値以上であるか否かを判断する判断ステップと、
前記判断ステップで前記第１算出ステップにおける算出結果が基準値以上であると判断した場合、前記決定ステップで決定したデータ伝送レート要求値を前記基地局装置へ送信させる第１制御ステップと、
を有することを特徴とする移動局装置における情報送信制御方法。
【請求項６】
データ伝送レート要求値を送信する移動局装置と、前記移動局装置から受信したデータ伝送レート要求値に基づいてデータ送信先の移動局装置を選択し、当該被選択移動局装置から受信したデータ伝送レート要求値でデータを当該被選択移動局装置に送信する基地局装置とを有する移動体通信システムに用いられる前記基地局装置であって、
前記移動局装置から送信されたデータ伝送レート要求値を受信する第２受信手段と、
前記第２受信手段によって受信されたデータ伝送レート要求値に基づいてデータ送信先の移動局装置を選択する選択手段と、
前記選択手段によって選択された移動局装置にデータを送信する際のデータ伝送レートの平均を平均データ伝送レートとして算出する第２算出手段と、
前記第２算出手段によって算出された平均データ伝送レートを前記移動局装置へ送信させる第２制御手段と、
を有することを特徴とする基地局装置。
【請求項７】
データ伝送レート要求値を送信する移動局装置と、前記移動局装置から受信したデータ伝送レート要求値に基づいてデータ送信先の移動局装置を選択し、当該被選択移動局装置から受信したデータ伝送レート要求値でデータを当該被選択移動局装置に送信する基地局装置とを有する移動体通信システムに用いられる前記基地局装置における情報送信制御方法であって、
前記移動局装置から送信されたデータ伝送レート要求値を受信する第２受信ステップと、
前記第２受信ステップで受信したデータ伝送レート要求値に基づいてデータ送信先の移動局装置を選択する選択ステップと、
前記選択ステップで選択した移動局装置にデータを送信する際のデータ伝送レートの平均を平均データ伝送レートとして算出する第２算出ステップと、
前記第２算出ステップで算出した平均データ伝送レートを前記移動局装置へ送信させる第２制御ステップと、
を有することを特徴とする基地局装置における情報送信制御方法。
【請求項８】
データ伝送レート要求値を送信する移動局装置と、前記移動局装置から受信したデータ伝送レート要求値に基づいてデータ送信先の移動局装置を選択し、当該被選択移動局装置から受信したデータ伝送レート要求値でデータを当該被選択移動局装置に送信する基地局装置とを有する移動体通信システムであって、
前記移動局装置は、
前記基地局装置からの受信信号の品質を測定する第１測定手段と、
前記第１測定手段によって測定された受信品質に基づいてデータ伝送レート要求値を決定する決定手段と、
前記決定手段によって決定されたデータ伝送レート要求値を記憶する第１記憶手段と、
前記第１記憶手段に記憶された前回のデータ伝送レート要求値と今回のデータ伝送レート要求値とを比較して、両者が異なるか否かを判断する第１判断手段と、
前記第１判断手段によって前回のデータ伝送レート要求値と今回のデータ伝送レート要求値とが異なると判断された場合、今回のデータ伝送レート要求値を前記基地局装置へ送信させる制御手段と、を有し、
前記基地局装置は、
前記移動局装置からの受信信号の品質を測定する第２測定手段と、
前記移動局装置から送信されたデータ伝送レート要求値を受信する受信手段と、
前記受信手段によって受信されたデータ伝送レート要求値を前記移動局装置と対応付けて記憶する第２記憶手段と、
前記受信手段によって今回データ伝送レート要求値が受信されていない移動局装置が存在する場合、当該移動局装置について、前記第２測定手段によって測定された受信品質が基準値以上であるか否かを判断する第２判断手段と、
前記第２判断手段によって受信品質の測定値が基準値以上であると判断された場合、当該移動局装置については、データ送信先の移動局装置の選択に用いるデータ伝送レート要求値として、前記第２記憶手段に記憶された前回のデータ伝送レート要求値を用いる管理手段と、
を有することを特徴とする移動体通信システム。
【請求項９】
データ伝送レート要求値を送信する移動局装置と、前記移動局装置から受信したデータ伝送レート要求値に基づいてデータ送信先の移動局装置を選択し、当該被選択移動局装置から受信したデータ伝送レート要求値でデータを当該被選択移動局装置に送信する基地局装置とを有する移動体通信システムにおける通信方法であって、
前記移動局装置が、前記基地局装置からの受信信号の品質を測定する第１測定ステップと、
前記移動局装置が、前記第１測定ステップで測定した受信品質に基づいてデータ伝送レート要求値を決定する決定ステップと、
前記移動局装置が、前記決定ステップで決定したデータ伝送レート要求値を記憶する第１記憶手段に記憶された前回のデータ伝送レート要求値と今回のデータ伝送レート要求値とを比較して、両者が異なるか否かを判断する第１判断ステップと、
前記移動局装置が、前記第１判断ステップで前回のデータ伝送レート要求値と今回のデータ伝送レート要求値とが異なると判断した場合、今回のデータ伝送レート要求値を前記基地局装置へ送信させる制御ステップと、
前記基地局装置が、前記移動局装置からの受信信号の品質を測定する第２測定ステップと、
前記基地局装置が、前記移動局装置から送信されたデータ伝送レート要求値を受信する受信ステップと、
前記基地局装置が、前記受信ステップで今回データ伝送レート要求値が受信されていない移動局装置が存在する場合、当該移動局装置について、前記第２測定ステップで測定した受信品質が基準値以上であるか否かを判断する第２判断ステップと、
前記基地局装置が、前記第２判断ステップで受信品質の測定値が基準値以上であると判断した場合、当該移動局装置については、データ送信先の移動局装置の選択に用いるデータ伝送レート要求値として、前記受信ステップで受信したデータ伝送レート要求値を前記移動局装置と対応付けて記憶する第２記憶手段に記憶された前回のデータ伝送レート要求値を用いる管理ステップと、
を有することを特徴とする移動体通信システムにおける通信方法。
【請求項１０】
データ伝送レート要求値を送信する移動局装置と、前記移動局装置から受信したデータ伝送レート要求値に基づいてデータ送信先の移動局装置を選択し、当該被選択移動局装置から受信したデータ伝送レート要求値でデータを当該被選択移動局装置に送信する基地局装置とを有する移動体通信システムに用いられる前記移動局装置であって、
前記基地局装置からの受信信号の品質を測定する第１測定手段と、
前記第１測定手段によって測定された受信品質に基づいてデータ伝送レート要求値を決定する決定手段と、
前記決定手段によって決定されたデータ伝送レート要求値を記憶する第１記憶手段と、
前記第１記憶手段に記憶された前回のデータ伝送レート要求値と今回のデータ伝送レート要求値とを比較して、両者が異なるか否かを判断する第１判断手段と、
前記第１判断手段によって前回のデータ伝送レート要求値と今回のデータ伝送レート要求値とが異なると判断された場合、今回のデータ伝送レート要求値を前記基地局装置へ送信させる制御手段と、
を有することを特徴とする移動局装置。
【請求項１１】
前記制御手段は、
前記第１判断手段によって前回のデータ伝送レート要求値と今回のデータ伝送レート要求値とが同じであると判断された場合、今回のデータ伝送レート要求値を前記基地局装置へ周期的に送信させる、
ことを特徴とする請求項１０記載の移動局装置。
【請求項１２】
データ伝送レート要求値を送信する移動局装置と、前記移動局装置から受信したデータ伝送レート要求値に基づいてデータ送信先の移動局装置を選択し、当該被選択移動局装置から受信したデータ伝送レート要求値でデータを当該被選択移動局装置に送信する基地局装置とを有する移動体通信システムに用いられる前記移動局装置における情報送信制御方法であって、
前記基地局装置からの受信信号の品質を測定する第１測定ステップと、
前記第１測定ステップで測定した受信品質に基づいてデータ伝送レート要求値を決定する決定ステップと、
前記決定ステップで決定したデータ伝送レート要求値を記憶する第１記憶手段に記憶された前回のデータ伝送レート要求値と今回のデータ伝送レート要求値とを比較して、両者が異なるか否かを判断する第１判断ステップと、
前記第１判断ステップで前回のデータ伝送レート要求値と今回のデータ伝送レート要求値とが異なると判断した場合、今回のデータ伝送レート要求値を前記基地局装置へ送信させる制御ステップと、
を有することを特徴とする移動局装置における情報送信制御方法。
【請求項１３】
データ伝送レート要求値を送信する移動局装置と、前記移動局装置から受信したデータ伝送レート要求値に基づいてデータ送信先の移動局装置を選択し、当該被選択移動局装置から受信したデータ伝送レート要求値でデータを当該被選択移動局装置に送信する基地局装置とを有する移動体通信システムに用いられる前記基地局装置であって、
前記移動局装置からの受信信号の品質を測定する第２測定手段と、
前記移動局装置から送信されたデータ伝送レート要求値を受信する受信手段と、
前記受信手段によって受信されたデータ伝送レート要求値を前記移動局装置と対応付けて記憶する第２記憶手段と、
前記受信手段によって今回データ伝送レート要求値が受信されていない移動局装置が存在する場合、当該移動局装置について、前記第２測定手段によって測定された受信品質が基準値以上であるか否かを判断する第２判断手段と、
前記第２判断手段によって受信品質の測定値が基準値以上であると判断された場合、当該移動局装置については、データ送信先の移動局装置の選択に用いるデータ伝送レート要求値として、前記第２記憶手段に記憶された前回のデータ伝送レート要求値を用いる管理手段と、
を有することを特徴とする基地局装置。
【請求項１４】
前記第２測定手段によって測定される受信品質は、所定のパイロットシンボル信号のＳＩＲであることを特徴とする請求項１３記載の基地局装置。
【請求項１５】
データ伝送レート要求値を送信する移動局装置と、前記移動局装置から受信したデータ伝送レート要求値に基づいてデータ送信先の移動局装置を選択し、当該被選択移動局装置から受信したデータ伝送レート要求値でデータを当該被選択移動局装置に送信する基地局装置とを有する移動体通信システムに用いられる前記基地局装置における情報送信制御方法であって、
前記移動局装置からの受信信号の品質を測定する第２測定ステップと、
前記移動局装置から送信されたデータ伝送レート要求値を受信する受信ステップと、
前記受信ステップで今回データ伝送レート要求値が受信されていない移動局装置が存在する場合、当該移動局装置について、前記第２測定ステップで測定した受信品質が基準値以上であるか否かを判断する第２判断ステップと、
前記第２判断ステップで受信品質の測定値が基準値以上であると判断した場合、当該移動局装置については、データ送信先の移動局装置の選択に用いるデータ伝送レート要求値として、前記受信ステップで受信したデータ伝送レート要求値を前記移動局装置と対応付けて記憶する第２記憶手段に記憶された前回のデータ伝送レート要求値を用いる管理ステップと、
を有することを特徴とする基地局装置における情報送信制御方法。
【発明の詳細な説明】
【０００１】
【発明の属する技術分野】
本発明は、移動体通信システムならびにこれを構成する基地局装置および移動局装置に関する。
【０００２】
【従来の技術】
移動体通信システムの一つの規格として、ｃｄｍａ２０００と呼ばれる規格がある。ｃｄｍａ２０００には、音声通話用の周波数帯域とは別にデータ通信専用の周波数帯域を利用するＨＤＲ（High Data Rate）が適用される。ＨＤＲでは、データ通信専用の周波数帯域（チャネル）を複数のユーザで共用するシェアードチャネル（shared channel）が用いられる。
【０００３】
シェアードチャネルとは、データ伝送レート（以下単に「レート」という）が適時変更可能なチャネルであって、同一周波数を複数の移動局装置が使用し、基地局装置によって選択された一つの移動局装置のみが時分割でその周波数を専有してデータ通信を行うことができるものである。
【０００４】
このようなシェアードチャネルを用いた従来の移動体通信システムにおいては、まず、複数の移動局装置が基地局装置から送信されたパイロットバースト信号を受信する。そして、各移動局装置は、受信したパイロットバースト信号から受信品質に関するＣＩＲ（Carrier to Interference Ratio：キャリア信号電力対干渉信号電力比）を測定し、ＣＩＲ測定値に応じたレート要求値を基地局装置に送信する。このとき、レート要求値の送信は、通信エリア内のすべての移動局装置から同一のタイミングで実行される。そして、基地局装置は、各基地局装置からレート要求値を受信すると、受信したレート要求値に基づいてデータ送信先の移動局装置を選択し、選択した移動局装置から受信したレート要求値のレートでデータを当該移動局装置に送信する。
【０００５】
【発明が解決しようとする課題】
しかしながら、従来のシステムにおいては、基地局装置によって選択された移動局装置にのみデータが送信されるため、移動局装置は、レート要求値を送信しても、基地局装置によって選択されない限り、データを受信することができず、基地局装置によって選択されるまで常にレート要求値を送信する必要がある。
【０００６】
すなわち、移動局装置から送信されたレート要求値が、基地局装置がデータ送信に割り当てているレートよりも低い場合、当該移動局装置は、なかなか選択されず、この間も常にレート要求値を送信しなければならないため、その分無駄な電力を消費するという問題がある。移動局装置における送信電力の消費量は大きいため、無駄な電力消費によって電池の消耗が早くなる。
【０００７】
また、移動局装置が停止状態または低速移動状態にある場合、ＣＩＲはほとんど変動しないにもかかわらず、移動局装置は、毎回、同一のレート要求値を送信することになるため、この場合にも、その分無駄な電力を消費するという問題がある。
【０００８】
本発明は、かかる点に鑑みてなされたものであり、シェアードチャネルを用いた移動体通信を行う場合に、データ伝送レート要求値の送信タイミングを効率化して無駄な消費電力を防止し、低消費電力化を図ることができる移動体通信システムを提供することを目的とする。
【０００９】
【課題を解決するための手段】
本発明の移動体通信システムは、データ伝送レート要求値を送信する移動局装置と、前記移動局装置から受信したデータ伝送レート要求値に基づいてデータ送信先の移動局装置を選択し、当該被選択移動局装置から受信したデータ伝送レート要求値でデータを当該被選択移動局装置に送信する基地局装置とを有する移動体通信システムであって、前記移動局装置は、前記基地局装置から送信される平均データ伝送レートを受信する第１受信手段と、前記基地局装置からの受信信号の品質を測定する測定手段と、前記測定手段によって測定された受信品質に基づいてデータ伝送レート要求値を決定する決定手段と、前記決定手段によって決定されたデータ伝送レート要求値と前記第１受信手段によって受信された平均データ伝送レートとの差を算出する第１算出手段と、前記第１算出手段による算出結果が基準値以上であるか否かを判断する判断手段と、前記判断手段によって前記第１算出手段による算出結果が基準値以上であると判断された場合、前記決定手段によって決定されたデータ伝送レート要求値を前記基地局装置へ送信させる第１制御手段と、を有し、前記基地局装置は、前記移動局装置から送信されたデータ伝送レート要求値を受信する第２受信手段と、前記第２受信手段によって受信されたデータ伝送レート要求値に基づいてデータ送信先の移動局装置を選択する選択手段と、前記選択手段によって選択された移動局装置にデータを送信する際のデータ伝送レートの平均を平均データ伝送レートとして算出する第２算出手段と、前記第２算出手段によって算出された平均データ伝送レートを前記移動局装置へ送信させる第２制御手段と、を有する構成を採る。
【００１０】
この構成によれば、移動局装置は、データ伝送レート要求値と平均データ伝送レートとの差が基準値以上である場合にのみ、データ伝送レート要求値を基地局装置へ送信するため、従来のように常にデータ伝送レート要求値を送信する必要がなく、シェアードチャネルを用いた移動体通信において、データ伝送レート要求値の送信タイミングを効率化して無駄な消費電力を防止することができ、低消費電力化を図ることができる。
【００１１】
本発明の、移動体通信システムにおける通信方法は、データ伝送レート要求値を送信する移動局装置と、前記移動局装置から受信したデータ伝送レート要求値に基づいてデータ送信先の移動局装置を選択し、当該被選択移動局装置から受信したデータ伝送レート要求値でデータを当該被選択移動局装置に送信する基地局装置とを有する移動体通信システムにおける通信方法であって、前記移動局装置が、前記基地局装置から送信される平均データ伝送レートを受信する第１受信ステップと、前記移動局装置が、前記基地局装置からの受信信号の品質を測定する測定ステップと、前記移動局装置が、前記測定ステップで測定した受信品質に基づいてデータ伝送レート要求値を決定する決定ステップと、前記移動局装置が、前記決定ステップで決定したデータ伝送レート要求値と前記第１受信ステップで受信した平均データ伝送レートとの差を算出する第１算出ステップと、前記移動局装置が、前記第１算出ステップにおける算出結果が基準値以上であるか否かを判断する判断ステップと、前記移動局装置が、前記判断ステップで前記第１算出ステップにおける算出結果が基準値以上であると判断した場合、前記決定ステップで決定したデータ伝送レート要求値を前記基地局装置へ送信させる第１制御ステップと、前記基地局装置が、前記移動局装置から送信されたデータ伝送レート要求値を受信する第２受信ステップと、前記基地局装置が、前記第２受信ステップで受信したデータ伝送レート要求値に基づいてデータ送信先の移動局装置を選択する選択ステップと、前記基地局装置が、前記選択ステップで選択した移動局装置にデータを送信する際のデータ伝送レートの平均を平均データ伝送レートとして算出する第２算出ステップと、前記基地局装置が、前記第２算出ステップで算出した平均データ伝送レートを前記移動局装置へ送信させる第２制御ステップと、を有するようにした。
【００１２】
この方法によれば、移動局装置は、データ伝送レート要求値と平均データ伝送レートとの差が基準値以上である場合にのみ、データ伝送レート要求値を基地局装置へ送信するため、従来のように常にデータ伝送レート要求値を送信する必要がなく、シェアードチャネルを用いた移動体通信において、データ伝送レート要求値の送信タイミングを効率化して無駄な消費電力を防止することができ、低消費電力化を図ることができる。
【００１３】
本発明の移動局装置は、データ伝送レート要求値を送信する移動局装置と、前記移動局装置から受信したデータ伝送レート要求値に基づいてデータ送信先の移動局装置を選択し、当該被選択移動局装置から受信したデータ伝送レート要求値でデータを当該被選択移動局装置に送信する基地局装置とを有する移動体通信システムに用いられる前記移動局装置であって、前記基地局装置から送信される平均データ伝送レートを受信する第１受信手段と、前記基地局装置からの受信信号の品質を測定する測定手段と、前記測定手段によって測定された受信品質に基づいてデータ伝送レート要求値を決定する決定手段と、前記決定手段によって決定されたデータ伝送レート要求値と前記第１受信手段によって受信された平均データ伝送レートとの差を算出する第１算出手段と、前記第１算出手段による算出結果が基準値以上であるか否かを判断する判断手段と、前記判断手段によって前記第１算出手段による算出結果が基準値以上であると判断された場合、前記決定手段によって決定されたデータ伝送レート要求値を前記基地局装置へ送信させる第１制御手段と、を有する構成を採る。
【００１４】
この構成によれば、上記の作用効果を有する移動体通信システムを構築するための一要素である移動局装置を提供することができる。
【００１５】
本発明の移動局装置は、上記の構成において、前記基地局装置からの受信信号の誤り検出を行う誤り検出手段、をさらに有し、前記第１制御手段は、前記誤り検出手段によって受信信号に誤りがないと判定された場合において、前記判断手段によって前記第１算出手段による算出結果が基準値以上であると判断されたときに、前記決定手段によって決定されたデータ伝送レート要求値を前記基地局装置へ送信させる、構成を採る。
【００１６】
この構成によれば、受信信号に誤りがない場合において、データ伝送レート要求値と平均データ伝送レートとの差が基準値以上であるときにのみ、データ伝送レート要求値を基地局装置へ送信するため、基地局は、基準値との比較によるデータ伝送レート要求値の送信の有無を正確に判断することができる。
【００１７】
本発明の、移動局装置における情報送信制御方法は、データ伝送レート要求値を送信する移動局装置と、前記移動局装置から受信したデータ伝送レート要求値に基づいてデータ送信先の移動局装置を選択し、当該被選択移動局装置から受信したデータ伝送レート要求値でデータを当該被選択移動局装置に送信する基地局装置とを有する移動体通信システムに用いられる前記移動局装置における情報送信制御方法であって、前記基地局装置から送信される平均データ伝送レートを受信する第１受信ステップと、前記基地局装置からの受信信号の品質を測定する測定ステップと、前記測定ステップで測定した受信品質に基づいてデータ伝送レート要求値を決定する決定ステップと、前記決定ステップで決定したデータ伝送レート要求値と前記第１受信ステップで受信した平均データ伝送レートとの差を算出する第１算出ステップと、前記第１算出ステップにおける算出結果が基準値以上であるか否かを判断する判断ステップと、前記判断ステップで前記第１算出ステップにおける算出結果が基準値以上であると判断した場合、前記決定ステップで決定したデータ伝送レート要求値を前記基地局装置へ送信させる第１制御ステップと、を有するようにした。
【００１８】
この方法によれば、上記の作用効果を有する移動体通信システムを構築するための一要素である移動局装置における情報送信制御方法を提供することができる。
【００１９】
本発明の基地局装置は、データ伝送レート要求値を送信する移動局装置と、前記移動局装置から受信したデータ伝送レート要求値に基づいてデータ送信先の移動局装置を選択し、当該被選択移動局装置から受信したデータ伝送レート要求値でデータを当該被選択移動局装置に送信する基地局装置とを有する移動体通信システムに用いられる前記基地局装置であって、前記移動局装置から送信されたデータ伝送レート要求値を受信する第２受信手段と、前記第２受信手段によって受信されたデータ伝送レート要求値に基づいてデータ送信先の移動局装置を選択する選択手段と、前記選択手段によって選択された移動局装置にデータを送信する際のデータ伝送レートの平均を平均データ伝送レートとして算出する第２算出手段と、前記第２算出手段によって算出された平均データ伝送レートを前記移動局装置へ送信させる第２制御手段と、を有する構成を採る。
【００２０】
この構成によれば、上記の作用効果を有する移動体通信システムを構築するための一要素である基地局装置を提供することができる。
【００２１】
本発明の、基地局装置における情報送信制御方法は、データ伝送レート要求値を送信する移動局装置と、前記移動局装置から受信したデータ伝送レート要求値に基づいてデータ送信先の移動局装置を選択し、当該被選択移動局装置から受信したデータ伝送レート要求値でデータを当該被選択移動局装置に送信する基地局装置とを有する移動体通信システムに用いられる前記基地局装置における情報送信制御方法であって、前記移動局装置から送信されたデータ伝送レート要求値を受信する第２受信ステップと、前記第２受信ステップで受信したデータ伝送レート要求値に基づいてデータ送信先の移動局装置を選択する選択ステップと、前記選択ステップで選択した移動局装置にデータを送信する際のデータ伝送レートの平均を平均データ伝送レートとして算出する第２算出ステップと、前記第２算出ステップで算出した平均データ伝送レートを前記移動局装置へ送信させる第２制御ステップと、を有するようにした。
【００２２】
この方法によれば、上記の作用効果を有する移動体通信システムを構築するための一要素である基地局装置における情報送信制御方法を提供することができる。
【００２３】
本発明の移動体通信システムは、データ伝送レート要求値を送信する移動局装置と、前記移動局装置から受信したデータ伝送レート要求値に基づいてデータ送信先の移動局装置を選択し、当該被選択移動局装置から受信したデータ伝送レート要求値でデータを当該被選択移動局装置に送信する基地局装置とを有する移動体通信システムであって、前記移動局装置は、前記基地局装置からの受信信号の品質を測定する第１測定手段と、前記第１測定手段によって測定された受信品質に基づいてデータ伝送レート要求値を決定する決定手段と、前記決定手段によって決定されたデータ伝送レート要求値を記憶する第１記憶手段と、前記第１記憶手段に記憶された前回のデータ伝送レート要求値と今回のデータ伝送レート要求値とを比較して、両者が異なるか否かを判断する第１判断手段と、前記第１判断手段によって前回のデータ伝送レート要求値と今回のデータ伝送レート要求値とが異なると判断された場合、今回のデータ伝送レート要求値を前記基地局装置へ送信させる制御手段と、を有し、前記基地局装置は、前記移動局装置からの受信信号の品質を測定する第２測定手段と、前記移動局装置から送信されたデータ伝送レート要求値を受信する受信手段と、前記受信手段によって受信されたデータ伝送レート要求値を前記移動局装置と対応付けて記憶する第２記憶手段と、前記受信手段によって今回データ伝送レート要求値が受信されていない移動局装置が存在する場合、当該移動局装置について、前記第２測定手段によって測定された受信品質が基準値以上であるか否かを判断する第２判断手段と、前記第２判断手段によって受信品質の測定値が基準値以上であると判断された場合、当該移動局装置については、データ送信先の移動局装置の選択に用いるデータ伝送レート要求値として、前記第２記憶手段に記憶された前回のデータ伝送レート要求値を用いる管理手段と、を有する構成を採る。
【００２４】
この構成によれば、移動局装置は、今回のデータ伝送レート要求値が前回のデータ伝送レート要求値と異なる場合にのみ、今回のレート要求値を基地局装置へ送信し、基地局装置は、移動局装置から今回レート要求値を受信しない場合において受信信号の品質が基準値以上であるときに、前回受信したデータ伝送レート要求値を用いてデータ送信先の選択を行うため、移動局装置は従来のように常にレート要求値を送信する必要がなく、シェアードチャネルを用いた移動体通信において、データ伝送レート要求値の送信タイミングを効率化して無駄な消費電力を防止することができ、低消費電力化を図ることができる。
【００２５】
本発明の、移動体通信システムにおける通信方法は、データ伝送レート要求値を送信する移動局装置と、前記移動局装置から受信したデータ伝送レート要求値に基づいてデータ送信先の移動局装置を選択し、当該被選択移動局装置から受信したデータ伝送レート要求値でデータを当該被選択移動局装置に送信する基地局装置とを有する移動体通信システムにおける通信方法であって、前記移動局装置が、前記基地局装置からの受信信号の品質を測定する第１測定ステップと、前記移動局装置が、前記第１測定ステップで測定した受信品質に基づいてデータ伝送レート要求値を決定する決定ステップと、前記移動局装置が、前記決定ステップで決定したデータ伝送レート要求値を記憶する第１記憶手段に記憶された前回のデータ伝送レート要求値と今回のデータ伝送レート要求値とを比較して、両者が異なるか否かを判断する第１判断ステップと、前記移動局装置が、前記第１判断ステップで前回のデータ伝送レート要求値と今回のデータ伝送レート要求値とが異なると判断した場合、今回のデータ伝送レート要求値を前記基地局装置へ送信させる制御ステップと、前記基地局装置が、前記移動局装置からの受信信号の品質を測定する第２測定ステップと、前記基地局装置が、前記移動局装置から送信されたデータ伝送レート要求値を受信する受信ステップと、前記基地局装置が、前記受信ステップで今回データ伝送レート要求値が受信されていない移動局装置が存在する場合、当該移動局装置について、前記第２測定ステップで測定した受信品質が基準値以上であるか否かを判断する第２判断ステップと、前記基地局装置が、前記第２判断ステップで受信品質の測定値が基準値以上であると判断した場合、当該移動局装置については、データ送信先の移動局装置の選択に用いるデータ伝送レート要求値として、前記受信ステップで受信したデータ伝送レート要求値を前記移動局装置と対応付けて記憶する第２記憶手段に記憶された前回のデータ伝送レート要求値を用いる管理ステップと、を有するようにした。
【００２６】
この方法によれば、移動局装置は、今回のデータ伝送レート要求値が前回のデータ伝送レート要求値と異なる場合にのみ、今回のレート要求値を基地局装置へ送信し、基地局装置は、移動局装置から今回レート要求値を受信しない場合において受信信号の品質が基準値以上であるときに、前回受信したデータ伝送レート要求値を用いてデータ送信先の選択を行うため、移動局装置は従来のように常にレート要求値を送信する必要がなく、シェアードチャネルを用いた移動体通信において、データ伝送レート要求値の送信タイミングを効率化して無駄な消費電力を防止することができ、低消費電力化を図ることができる。
【００２７】
本発明の移動局装置は、データ伝送レート要求値を送信する移動局装置と、前記移動局装置から受信したデータ伝送レート要求値に基づいてデータ送信先の移動局装置を選択し、当該被選択移動局装置から受信したデータ伝送レート要求値でデータを当該被選択移動局装置に送信する基地局装置とを有する移動体通信システムに用いられる前記移動局装置であって、前記基地局装置からの受信信号の品質を測定する第１測定手段と、前記第１測定手段によって測定された受信品質に基づいてデータ伝送レート要求値を決定する決定手段と、前記決定手段によって決定されたデータ伝送レート要求値を記憶する第１記憶手段と、前記第１記憶手段に記憶された前回のデータ伝送レート要求値と今回のデータ伝送レート要求値とを比較して、両者が異なるか否かを判断する第１判断手段と、前記第１判断手段によって前回のデータ伝送レート要求値と今回のデータ伝送レート要求値とが異なると判断された場合、今回のデータ伝送レート要求値を前記基地局装置へ送信させる制御手段と、を有する構成を採る。
【００２８】
この構成によれば、上記の作用効果を有する移動体通信システムを構築するための一要素である移動局装置を提供することができる。
【００２９】
本発明の移動局装置は、上記の構成において、前記制御手段は、前記第１判断手段によって前回のデータ伝送レート要求値と今回のデータ伝送レート要求値とが同じであると判断された場合、今回のデータ伝送レート要求値を前記基地局装置へ周期的に送信させる、構成を採る。
【００３０】
この構成によれば、前回のデータ伝送レート要求値と今回のデータ伝送レート要求値とが同じである場合、今回のデータ伝送レート要求値を基地局装置へ周期的に送信させる、すなわち、データ伝送レート要求値を送信しない状態が所定の時間継続した場合、レート要求値に変化がなくても所定の周期でレート要求値を基地局装置へ送信（再送）するため、基地局装置に誤ったデータ伝送レート要求値が保持されている時間を短縮することができ、基地局装置は、迅速かつ正確にデータ送信先の選択を行うことができる。
【００３１】
本発明の、移動局装置における情報送信制御方法は、データ伝送レート要求値を送信する移動局装置と、前記移動局装置から受信したデータ伝送レート要求値に基づいてデータ送信先の移動局装置を選択し、当該被選択移動局装置から受信したデータ伝送レート要求値でデータを当該被選択移動局装置に送信する基地局装置とを有する移動体通信システムに用いられる前記移動局装置における情報送信制御方法であって、前記基地局装置からの受信信号の品質を測定する第１測定ステップと、前記第１測定ステップで測定した受信品質に基づいてデータ伝送レート要求値を決定する決定ステップと、前記決定ステップで決定したデータ伝送レート要求値を記憶する第１記憶手段に記憶された前回のデータ伝送レート要求値と今回のデータ伝送レート要求値とを比較して、両者が異なるか否かを判断する第１判断ステップと、前記第１判断ステップで前回のデータ伝送レート要求値と今回のデータ伝送レート要求値とが異なると判断した場合、今回のデータ伝送レート要求値を前記基地局装置へ送信させる制御ステップと、を有するようにした。
【００３２】
この方法によれば、上記の作用効果を有する移動体通信システムを構築するための一要素である移動局装置における情報送信制御方法を提供することができる。
【００３３】
本発明の基地局装置は、データ伝送レート要求値を送信する移動局装置と、前記移動局装置から受信したデータ伝送レート要求値に基づいてデータ送信先の移動局装置を選択し、当該被選択移動局装置から受信したデータ伝送レート要求値でデータを当該被選択移動局装置に送信する基地局装置とを有する移動体通信システムに用いられる前記基地局装置であって、前記移動局装置からの受信信号の品質を測定する第２測定手段と、前記移動局装置から送信されたデータ伝送レート要求値を受信する受信手段と、前記受信手段によって受信されたデータ伝送レート要求値を前記移動局装置と対応付けて記憶する第２記憶手段と、前記受信手段によって今回データ伝送レート要求値が受信されていない移動局装置が存在する場合、当該移動局装置について、前記第２測定手段によって測定された受信品質が基準値以上であるか否かを判断する第２判断手段と、前記第２判断手段によって受信品質の測定値が基準値以上であると判断された場合、当該移動局装置については、データ送信先の移動局装置の選択に用いるデータ伝送レート要求値として、前記第２記憶手段に記憶された前回のデータ伝送レート要求値を用いる管理手段と、を有する構成を採る。
【００３４】
この構成によれば、上記の作用効果を有する移動体通信システムを構築するための一要素である基地局装置を提供することができる。
【００３５】
本発明の基地局装置は、上記の構成において、前記第２測定手段によって測定される受信品質は、所定のパイロットシンボル信号のＳＩＲである構成を採る。
【００３６】
この構成によれば、受信品質としてＳＩＲを用いるため、基地局装置は、受信信号の品質を正確に測定することができ、上記の選択を正確に行うことができる。
【００３７】
本発明の、基地局装置における情報送信制御方法は、データ伝送レート要求値を送信する移動局装置と、前記移動局装置から受信したデータ伝送レート要求値に基づいてデータ送信先の移動局装置を選択し、当該被選択移動局装置から受信したデータ伝送レート要求値でデータを当該被選択移動局装置に送信する基地局装置とを有する移動体通信システムに用いられる前記基地局装置における情報送信制御方法であって、前記移動局装置からの受信信号の品質を測定する第２測定ステップと、前記移動局装置から送信されたデータ伝送レート要求値を受信する受信ステップと、前記受信ステップで今回データ伝送レート要求値が受信されていない移動局装置が存在する場合、当該移動局装置について、前記第２測定ステップで測定した受信品質が基準値以上であるか否かを判断する第２判断ステップと、前記第２判断ステップで受信品質の測定値が基準値以上であると判断した場合、当該移動局装置については、データ送信先の移動局装置の選択に用いるデータ伝送レート要求値として、前記受信ステップで受信したデータ伝送レート要求値を前記移動局装置と対応付けて記憶する第２記憶手段に記憶された前回のデータ伝送レート要求値を用いる管理ステップと、を有するようにした。
【００３８】
この方法によれば、上記の作用効果を有する移動体通信システムを構築するための一要素である基地局装置における情報送信制御方法を提供することができる。
【００３９】
【発明の実施の形態】
以下、本発明の実施の形態について、図面を参照して詳細に説明する。
【００４０】
（実施の形態１）
図１は、本発明の実施の形態１に係る移動体通信システムの構成を示すブロック図である。
【００４１】
この移動体通信システムは、図１に示すように、基地局装置１０１と複数の移動局装置１０２とを有する。基地局装置１０１と移動局装置１０２とは、ｃｄｍａ２０００に適用されるＨＤＲにおいてシェアードチャネルを用いた無線通信を行う。
【００４２】
基地局装置１０１は、図２に示すように、送受信共用のアンテナ２０１、ＲＦ（Radio Frequency）部２０２、多重部２０３、四つの変調・拡散部２０４，２０５，２０６，２０７、逆拡散・復調部２０８、個別チャネルコーディング部２０９、ＭＡＣ（Medium Access Control）チャネル組立部２１０、ＴＰＣ（Transmit Power Control）生成部２１１、無線リソース管理部２１２、平均レート算出部２１４、報知チャネル組立部２１５、およびバッファ部２１６を有する。
【００４３】
また、移動局装置１０２は、図３に示すように、送受信共用のアンテナ３０１、ＲＦ部３０２、逆拡散・復調部３０３、ＣＲＣ（Cyclic Redundancy Check）部３０４、分解部３０５、ＣＩＲ測定部３０６、レート要求値決定部３０７、レート要求値送信制御部３０８、多重部３０９、および変調・拡散部３１０を有する。
【００４４】
次いで、上記構成を有する移動体通信システムの動作について説明する。
【００４５】
まず、基地局装置１０１は、変調・拡散部２０４で、パイロットバースト信号を変調した後、拡散する。
【００４６】
そして、変調・拡散後のパイロットバースト信号は、多重部２０３で、他の変調・拡散後の各種信号（たとえば、シェアードチャネルに割り当てられた後述する平均レート信号など）と多重され、ＲＦ部２０２で、アップコンバートなどの所定の送信処理が施された後、アンテナ２０１から無線送信される。
【００４７】
その後、移動局装置１０２は、アンテナ３０１で、基地局装置１０１から無線送信された信号を受信する。アンテナ３０１で受信された信号は、ＲＦ部３０２で、ダウンコンバートなどの所定の受信処理が施された後、逆拡散・復調部３０３へ出力される。
【００４８】
そして、逆拡散・復調部３０３では、ＲＦ部３０２から入力した受信信号を逆拡散し復調した後、ＣＲＣ部３０４およびＣＩＲ測定部３０６へ出力する。
【００４９】
そして、ＣＩＲ測定部３０６では、逆拡散・復調後の受信信号に含まれるパイロットバースト信号のＣＩＲを測定する。ＣＩＲ測定値は、レート要求値決定部３０７へ出力される。
【００５０】
そして、レート要求値決定部３０７では、あらかじめ記憶されたデータ伝送レート（レート）の中からＣＩＲ測定値に対応するレートを選択し、これを自己のレート要求値としてレート要求値送信制御部３０８へ出力する。
【００５１】
一方、ＣＲＣ部３０４では、逆拡散・復調後の受信信号のＣＲＣチェックを行い、このＣＲＣチェックの結果として、誤りがない場合は、その受信信号を分解部３０５へ出力する。なお、誤りがある場合は、その受信信号を分解部３０５へ出力しない。
【００５２】
そして、分解部３０５では、ＣＲＣ部３０４から逆拡散・復調後の受信信号を受け取ると、受信信号を分解して基地局装置１０１から報知された平均レート信号を取り出し、得られた平均レート信号をレート要求値送信制御部３０８へ出力する。
【００５３】
そして、レート要求値送信制御部３０８では、レート要求値決定部３０７で決定された自己のレート要求値と基地局装置１０１から報知された平均レート信号との差を求め、得られた差があらかじめ設定されたしきい値（基準値）よりも大きい場合にのみ、レート要求値を多重部３０９へ出力する。すなわち、レート要求値と平均レートとの差がしきい値以下の場合は、レート要求値を多重部３０９へ出力しない（つまり、基地局装置１０１へ送信しない）。
【００５４】
そして、多重部３０９に入力されたレート要求値は、多重部３０９で、自己の送信信号（たとえば、送信電力制御用のパイロットシンボル信号など）と多重される。この多重信号は、変調・拡散部３１０で、変調され拡散された後、ＲＦ部３０２で、アップコンバートなどの所定の送信処理が施された後、アンテナ３０１から無線送信される。
【００５５】
その後、基地局装置１０１は、アンテナ２０１で、移動局装置１０２から無線送信された信号を受信する。アンテナ２０１で受信された信号は、ＲＦ部２０２で、ダウンコンバートなどの所定の受信処理が施された後、逆拡散・復調部２０８へ出力される。
【００５６】
そして、逆拡散・復調部２０８では、ＲＦ部２０２から入力した受信信号を逆拡散し復調した後、ＴＰＣ生成部２１１および無線リソース管理部２１２へ出力する。
【００５７】
そして、ＴＰＣ生成部２１１では、逆拡散・復調後の受信信号に含まれる送信電力制御用のパイロットシンボル信号に応じて、移動局装置１０２の送信電力制御を行うためのＴＰＣ信号を生成する。生成されたＴＰＣ信号は、ＭＡＣチャネル組立部２１０で、ＭＡＣチャネルに組み立てられ、変調・拡散部２０６で、変調され拡散された後、多重部２０３へ出力される。
【００５８】
一方、無線リソース管理部２１２では、逆拡散・復調後の受信信号に含まれるレート要求値に基づいてデータ送信先の移動局装置１０２を選択する。具体的には、たとえば、各移動局装置１０２からのレート要求値を比較して、レート要求値が最大である移動局装置１０２を選択する。この選択結果は、バッファ部２１６および個別チャネルコーディング部２０９へ出力される。また、無線リソース管理部２１２から変調・拡散部２０５へは、変調方式（たとえば、ＱＰＳＫ、１６ＱＡＭ、６４ＱＡＭなど）を指示する信号が出力される。
【００５９】
なお、移動局装置１０２の選択方法は、上記の例に限定されない。たとえば、すべての移動局装置１０２に対して通信が可能となるように、レート要求値が低い移動局装置１０２を選択するようにしてもよい。ただし、この場合、基地局装置１０１の平均データ伝送レート（スループット）は低下する。
【００６０】
そして、バッファ部２１６では、選択された移動局装置１０２に対する送信データを読み出す。読み出された送信データには、個別チャネルコーディング部２０９で、当該移動局装置１０２に対する宛先情報が付与される。そして、宛先情報が付与されたデータは、変調・拡散部２０５で、指示された変調方式に従って変調され、拡散された後、多重部２０３へ出力される。
【００６１】
また、無線リソース管理部２１２から平均レート算出部２１４へは、選択された移動局装置１０２へのデータ送信に用いられたレートの情報が順次出力される。
【００６２】
そして、平均レート算出部２１４では、選択された移動局装置１０２へのデータ送信に用いられたレートの平均値（平均レート）を算出する。この平均レート信号は、報知チャネル組立部２１５で、報知チャネルに組み立てられ、変調・拡散部２０７で、変調され拡散された後、多重部２０３へ出力される。
【００６３】
多重部２０３へ出力された上記各信号（ＴＰＣ信号、宛先情報が付与された送信データ、平均レート信号、およびパイロットバースト信号）は、多重部２０３で、多重され、ＲＦ部２０２で、アップコンバートなどの所定の送信処理が施された後、アンテナ２０１から無線送信される。
【００６４】
その後、移動局装置１０２は、基地局装置１０１からの信号を受信し、受信した信号に自己の宛先情報が含まれている場合に、後続の送信データを受け取る。
【００６５】
このように、本実施の形態の移動体通信システムによれば、移動局装置１０２は、受信信号に誤りがない場合においてレート要求値と平均レートとの差がしきい値よりも大きいときにのみ、レート要求値を基地局装置１０１へ送信するため、従来のように常にレート要求値を送信する必要がなく、シェアードチャネルを用いた移動体通信において、データ伝送レート要求値の送信タイミングを効率化して無駄な消費電力を防止することができ、低消費電力化を図ることができる。
【００６６】
（実施の形態２）
図４は、本発明の実施の形態２に係る移動体通信システムの基地局装置の構成を示すブロック図であり、図５は、同じく実施の形態２に係る移動体通信システムの移動局装置の構成を示すブロック図である。なお、この移動体通信システムの基地局装置および移動局装置は、図２および図３に示す実施の形態１における基地局装置および移動局装置とそれぞれ同様の基本的構成を有しており、同一の構成要素には同一の符号を付し、その説明を省略する。
【００６７】
図４に示す基地局装置４０１は、上記のアンテナ２０１、ＲＦ部２０２、多重部２０３、三つの変調・拡散部２０４，２０５，２０６、逆拡散・復調部２０８、個別チャネルコーディング部２０９、ＭＡＣチャネル組立部２１０、ＴＰＣ生成部２１１、およびバッファ部２１６に加えて、本実施の形態の特徴要素である無線リソース管理部４０２およびＳＩＲ（Signal to Interference Ratio：所望信号電力対干渉信号電力比）測定部４０３を有する。
【００６８】
また、図５に示す移動局装置５０１は、上記のアンテナ３０１、ＲＦ部３０２、逆拡散・復調部３０３、ＣＲＣ部３０４、ＣＩＲ測定部３０６、レート要求値決定部３０７、多重部３０９、および変調・拡散部３１０に加えて、本実施の形態の特徴要素であるレート要求値送信制御部５０２を有する。
【００６９】
次いで、上記構成を有する移動体通信システムの動作について説明する。なお、実施の形態１と共通する部分については、説明を省略し、または簡単に説明するにとどめる。
【００７０】
まず、基地局装置４０１は、変調・拡散後のパイロットバースト信号を他の変調・拡散後の信号と多重して無線送信する。
【００７１】
その後、移動局装置５０１は、基地局装置４０１から無線送信された信号を受信すると、ＣＩＲ測定部３０６で、パイロットバースト信号のＣＩＲを測定した後、レート要求値決定部３０７で、ＣＩＲ測定値に対応するレート要求値を決定してレート要求値送信制御部５０２へ出力する。レート要求値送信制御部５０２は、レート要求値を保持する機能を備えている。
【００７２】
そして、レート要求値送信制御部５０２では、レート要求値を保持する機能を利用して、レート要求値決定部３０７からの今回のレート要求値を前回のレート要求値と比較し、今回のレート要求値が前回のレート要求値と異なる場合にのみ、今回のレート要求値を多重部３０９へ出力する。すなわち、今回のレート要求値が前回のレート要求値と同じ場合は、今回のレート要求値を多重部３０９へ出力しない（つまり、基地局装置４０１へ送信しない）。
【００７３】
そして、多重部３０９では、レート要求値送信制御部５０２からレート要求値を入力した場合、入力したレート要求値と、送信電力制御用のパイロットシンボル信号を含む自己の送信信号とを多重した後、無線送信する。これに対し、レート要求値を入力しない場合は、送信電力制御用のパイロットシンボル信号のみを無線送信する。
【００７４】
その後、基地局装置４０１は、移動局装置５０１から無線送信された信号を受信すると、逆拡散・復調部２０８で処理した後、ＴＰＣ生成部２１１、無線リソース管理部４０２、およびＳＩＲ測定部４０３へ出力する。
【００７５】
そして、無線リソース管理部４０２では、受信信号にレート要求値が含まれている場合は、実施の形態１における無線リソース管理部２１２と同様に、レート要求値に基づいてデータ送信先の移動局装置１０２を選択する、具体的には、たとえば、各移動局装置１０２からのレート要求値を比較して、レート要求値が最大である移動局装置１０２を選択する。そして、バッファ部２１６で、選択された移動局装置５０１に対する送信データを読み出した後、この読み出された送信データに、個別チャネルコーディング部２０９で、当該移動局装置５０１に対する宛先情報を付与する。
【００７６】
これに対し、受信信号にレート要求値が含まれていない場合、すなわち、レート要求値を受信せずパイロットシンボル信号のみを受信した場合は、受信信号のＳＩＲ測定値をＳＩＲ測定部４０３から入力し、入力したＳＩＲ測定値があらかじめ設定されたしきい値（基準値）以上であるか否か、つまり、受信品質があらかじめ設定された品質以上であるか否かを判断する。この結果、ＳＩＲ測定値がしきい値以上の場合は、移動局装置５０１が前回と同じレート要求値のため今回は送信しなかったものと判断し、当該移動局装置５０１については前回受信したレート要求値を用いて上記の選択（データ送信元の移動局装置５０１の選択）を行う。
【００７７】
このように、本実施の形態の移動体通信システムによれば、移動局装置５０１は、今回のレート要求値が前回のレート要求値と異なる場合にのみ、今回のレート要求値を基地局装置４０１へ送信し、基地局装置４０１は、移動局装置５０１から今回レート要求値を受信しない場合において受信信号のＳＩＲ測定値がしきい値以上であるときに、前回受信したレート要求値を用いてデータ送信先の選択を行うため、移動局装置は従来のように常にレート要求値を送信する必要がなく、シェアードチャネルを用いた移動体通信において、データ伝送レート要求値の送信タイミングを効率化して無駄な消費電力を防止することができ、低消費電力化を図ることができる。
【００７８】
また、その際、受信品質としてＳＩＲ測定値を用いるため、基地局装置４０１は、受信信号の品質を正確に測定することができ、上記の選択を正確に行うことができる。
【００７９】
（実施の形態３）
実施の形態３は、実施の形態２において、移動局装置が、今回のレート要求値が前回のレート要求値と同じであるため、今回のレート要求値を基地局装置４０１へ送信しない状態が所定の時間継続したとき、レート要求値に変化がなくてもレート要求値を基地局装置４０１へ送信する場合である。
【００８０】
図６は、実施の形態２の移動局装置５０１におけるレート要求値の送信タイミングを説明するための図であって、図６（Ａ）は、移動局装置５０１によって決定されたレート要求値の一例を示し、図６（Ｂ）は、移動局装置５０１から送信されたレート要求値の一例を示し、図６（Ｃ）は、エラー発生時に基地局装置４０１によって認識されたレート要求値の一例を示している。
【００８１】
実施の形態２では、図６（Ｂ）に示すように、レート要求値が変化した場合にのみレート要求値が送信される。このとき、たとえば、レート要求値が変化しなくなる直前のフレームＦ1 に対応するレート要求値（「４」）が移動局装置５０１から基地局装置４０１へ送信された場合において、図６（Ｃ）に示すように、そのレート要求値が基地局装置４０１に誤って認識されると（たとえば、「４」→「５」）、その後再びレート要求値が送信されるまでの区間Ｄ1 はずっと誤ったレート要求値が基地局装置４０１に認識されてしまうことになる。よって、基地局装置４０１は、次にレート要求値が変化するまで、誤ったレート要求値に基づいてデータ送信先（移動局装置５０１）の選択を行うことになるため、レート要求値が変化しない区間Ｄ1 において上記の選択を正確に行うことができないおそれがある。
【００８２】
そこで、本実施の形態では、移動局装置（以下、本実施の形態の移動局装置には「５０１ａ」の符号を付す）がレート要求値を送信しない状態が所定の時間継続した場合、レート要求値に変化がなくても同一のレート要求値を基地局装置４０１へ送信する。すなわち、レート要求値に変化がなくても所定の周期でレート要求値を基地局装置４０１へ再送する。
【００８３】
図７は、本実施の形態の移動局装置５０１ａにおけるレート要求値の送信タイミングを説明するための、図６に対応する図であって、図７（Ａ）は、移動局装置５０１ａによって決定されたレート要求値の一例を示し、図７（Ｂ）は、移動局装置５０１ａから送信されたレート要求値の一例を示し、図７（Ｃ）は、エラー発生時に基地局装置４０１によって認識されたレート要求値の一例を示している。
【００８４】
本実施の形態では、レート要求値が変化しない区間であっても、たとえば、図７（Ｂ）に示すように、レート要求値を送信しない状態が４フレーム連続した場合は、レート要求値に変化がなくても５フレーム目（図７の例では、フレームＦ6 とフレームＦ11）には必ずレート要求値を送信する。すなわち、５フレームの周期でレート要求値を送信する。よって、図７（Ｃ）に示すように、レート要求値が変化しなくなる直前のフレーム（図７の例では、フレームＦ1 ）に対応するレート要求値が基地局装置４０１に誤って認識されたとしても、５フレームの周期で同一のレート要求値が移動局装置５０１ａから送信されてくるため、そのレート要求値が正しく受信される限り、基地局装置４０１は、正しいレート要求値を認識することができ、迅速にレート要求値の誤りを訂正することができる。すなわち、誤った情報を保持している時間（区間）がＤ1 からＤ2 に短縮される（Ｄ1 ＝Ｄ2 ＋Ｄ3 ）。ここで、区間Ｄ1 とＤ2 は、基地局装置４０１がレート要求値を誤って認識している区間であり、区間Ｄ3 は、基地局装置４０１がレート要求値を正しく認識している区間である。
【００８５】
このように、本実施の形態の移動体通信システムによれば、移動局装置５０１ａは、レート要求値を送信しない状態が所定の時間継続した場合、レート要求値に変化がなくても所定の周期でレート要求値を基地局装置４０１へ送信（再送）するため、基地局装置４０１に誤ったレート要求値が保持されている時間を短縮することができ、基地局装置４０１は、迅速かつ正確にデータ送信先の選択を行うことができる。
【００８６】
なお、本実施の形態では、レート要求値を再送する周期を５フレームとしているが、これに限定されるわけではない。レート要求値を再送する周期は、伝播環境に応じて適応的に変化させることが可能である。たとえば、伝播環境の変化が激しい場合は再送の周期を短くし、伝播環境の変化が激しくない場合は再送の周期を長くすることにより、移動局装置５０１ａの消費電力を抑制しながら基地局装置４０１における上記の選択をより正確に行うことが可能になる。
【００８７】
なお、本発明は、特にｃｄｍａ２０００に適用されるＨＤＲで用いられるシェアードチャネルに適用することができるが、これに限定されるわけではなく、たとえば、移動局装置が要求したデータ伝送レートで基地局装置がデータを送信する任意の適応変調システムに適用することができる。
【００８８】
【発明の効果】
以上説明したように、本発明によれば、シェアードチャネルを用いた移動体通信を行う場合に、データ伝送レート要求値の送信タイミングを効率化して無駄な消費電力を防止し、低消費電力化を図ることができる。
【図面の簡単な説明】
【図１】本発明の実施の形態１に係る移動体通信システムの構成を示すブロック図
【図２】本発明の実施の形態１に係る移動体通信システムの基地局装置の構成を示すブロック図
【図３】本発明の実施の形態１に係る移動体通信システムの移動局装置の構成を示すブロック図
【図４】本発明の実施の形態２に係る移動体通信システムの基地局装置の構成を示すブロック図
【図５】本発明の実施の形態２に係る移動体通信システムの移動局装置の構成を示すブロック図
【図６】本発明の実施の形態２に係る移動体通信システムの移動局装置におけるレート要求値の送信タイミングを説明するための図
【図７】本発明の実施の形態３に係る移動体通信システムの移動局装置におけるレート要求値の送信タイミングを説明するための図
【符号の説明】
１０１，４０１  基地局装置
１０２，５０１  移動局装置
２０１，３０１  アンテナ
２０２，３０２  ＲＦ部
２０３，３０９  多重部
２０４，２０５，２０６，２０７，３１０  変調・拡散部
２０８，３０３  逆拡散・復調部
２０９  個別チャネルコーディング部
２１０  ＭＡＣチャネル組立部
２１１  ＴＰＣ生成部
２１２，４０２  無線リソース管理部
２１４  平均レート算出部
２１５  報知チャネル組立部
２１６  バッファ部
３０４  ＣＲＣ部
３０５  分解部
３０６  ＣＩＲ測定部
３０７  レート要求値決定部
３０８，５０２  レート要求値送信制御部
４０３  ＳＩＲ測定部
【図１】
0003719956.tif 000002
【図２】
0003719956.tif 000003
【図３】
0003719956.tif 000004
【図４】
0003719956.tif 000005
【図５】
0003719956.tif 000006
【図６】
0003719956.tif 000007
【図７】
0003719956.tif 000008